【事件の表示】
　平成１１年特許願第１１０１８３号「ガラス板の折割装置」拒絶査定不服審判事件〔平成１２年１０月３１日出願公開、特開２０００−３０２４６７〕について、次のとおり審決する。
【結　論】
　本件審判の請求は、成り立たない。
【理　由】
１．手続の経緯 
　本願は、平成１１年４月１６日の出願であって、平成２０年６月２６日付けで拒絶理由が起案され（発送日　同年７月８日）、同年９月５日付けで意見書及び明細書の記載に係る手続補正書が提出され、同年１０月２０日付けで拒絶査定が起案され（発送日　同年同月２８日）、これに対し、同年１１月２７日に拒絶査定不服審判の請求がなされ、同年１２月２２日付けで審判請求の請求の理由に係る手続補正及び明細書の記載に係る手続補正がなされ、その後、平成２３年６月２７日付けで特許法第１６４条第３項に基づく報告を引用した審尋が起案され（発送日　同年７月５日）、これに対する回答書が同年９月２日に提出されたものである。
　
２．平成２０年１２月２２日付けの明細書の記載に係る手続補正についての補正却下の決定
［補正却下の決定の結論］ 
　平成２０年１２月２２日付けの明細書の記載に係る手続補正（以下、「本件補正」という。）を却下する。 
［理由］ 
２−１．本件補正について
　本件補正は、平成２０年９月５日付けの明細書の記載に係る手続補正書によって補正された特許請求の範囲の請求項１である、 
「【請求項１】　ガラス板が載置される可撓性のガラス支持体と、ガラス支持体を介してガラス板を支持する支持面を有した複数のガラス板受け部材と、複数のガラス板受け部材に対応して複数個設けられていると共に当該複数のガラス板受け部材の夫々をガラス板の面に平行な面内で移動させる複数の第一の移動装置と、ガラス支持体の上方に配された押し割り装置と、この押し割り装置をガラス板の面に平行な面内で移動させる第二の移動装置と、この第一及び第二の移動装置の動作を制御する制御装置とを具備しており、ガラス支持体上のガラス板に対する押し割り装置による押し割りにおいて、ガラス板受け部材の夫々を複数の第一の移動装置の夫々により移動させて複数のガラス板受け部材の支持面の夫々がガラス板に形成された折割線に
対応して
「【請求項１】　ガラス板が載置される可撓性のガラス支持体と、ガラス支持体を介してガラス板を支持する支持面を有した複数のガラス板受け部材と、複数のガラス板受け部材に対応して複数個設けられていると共に当該複数のガラス板受け部材の夫々をガラス板の面に平行な面内で移動させる複数の第一の移動装置と、ガラス支持体の上方に配された押し割り装置と、この押し割り装置をガラス板の面に平行な面内で移動させる第二の移動装置と、この第一及び第二の移動装置の動作を制御する制御装置とを具備しており、ガラス支持体上のガラス板に対する押し割り装置による押し割りにおいて、ガラス板受け部材の夫々を複数の第一の移動装置の夫々により移動させて、複数のガラス板受け部材の支持面の夫々がガラス板に形成された折割線を
跨いで
前記所定位置においてガラス板受け部材の支持面の夫々に支持されたガラス板に対する
　この補正事項について検討するに、
　ｉ）本件補正前の「ガラス板受け部材の支持面の夫々がガラス板に形成された折割線に
対応して
跨いで
対応して
跨いで
　ｉｉ）本件補正前の「押し割り装置を折割位置に移動させる」を、補正後の「押し割り装置を、
前記所定位置においてガラス板受け部材の支持面の夫々に支持されたガラス板に対する
　よって、上記補正事項は特許請求の範囲のいわゆる限定的減縮を目的とするものに相当する。
　そこで、補正後の請求項１に係る発明が特許出願の際独立して特許を受けることができるか否かについて以下に検討する。
　
２−２．独立特許要件について
２−２−１．補正発明について
　上記補正後の請求項１に係る発明は、平成２０年１２月２２日付け手続補正書によって補正された特許請求の範囲の請求項１に記載される事項によって特定される次のとおりのものである（以下、「補正発明」という。）。
　
「ガラス板が載置される可撓性のガラス支持体と、ガラス支持体を介してガラス板を支持する支持面を有した複数のガラス板受け部材と、複数のガラス板受け部材に対応して複数個設けられていると共に当該複数のガラス板受け部材の夫々をガラス板の面に平行な面内で移動させる複数の第一の移動装置と、ガラス支持体の上方に配された押し割り装置と、この押し割り装置をガラス板の面に平行な面内で移動させる第二の移動装置と、この第一及び第二の移動装置の動作を制御する制御装置とを具備しており、ガラス支持体上のガラス板に対する押し割り装置による押し割りにおいて、ガラス板受け部材の夫々を複数の第一の移動装置の夫々により移動させて、複数のガラス板受け部材の支持面の夫々がガラス板に形成された折割線を跨いで位置するように、当該ガラス板受け部材の夫々の支持面を予め所定位置に配置し、ガラス板が配置されて折割時、第二の移動装置により押し割り装置を、前記所定位置においてガラス板受け部材の支持面の夫々に支持されたガラス板に対する折割位置に移動させるようにしたガラス板の折割装置。」
　
２−２−２．刊行物の記載
　原査定の拒絶の理由に引用文献１として引用され、本件出願前に頒布された刊行物である特開平５−７０１６３号公報（以下、「刊行物１」という。）には次の事項が記載されている。
　（ア）「【課題を解決するための手段】本発明によれば前記目的は、ガラス板が載置される可撓性の無端ベルトと、この無端ベルトを走行させる走行装置と、複数の窓を有して無端ベルトを支持するベルト支持板と、このベルト支持板の各窓に対応して配されており、夫々が無端ベルトを介してガラス板を支持する第一の面とこの第一の面に対して段差を介して低位に配された第二の面とを有した複数のガラス板受け部材と、ガラス板受け部材の夫々をガラス板の面に平行な面内で移動させる複数の第一の移動装置と、無端ベルトの上方に配されており、押し棒及びカッタ刃を具備した押し割り装置と、この押し割り装置をガラス板の面に平行な面内で移動させる第二の移動装置と、無端ベルト上のガラス板を持上げる持上げ装置と、無端ベルト上のガラス板に対する押し割り装置による押し割りにおいて、第一及び第二の移動装置によるガラス板受け部材及び押し割り装置の移動位置を対応させるように第一及び第二の移動装置、の動作を制御する制御装置とを具備しているガラス板の折り割り機械によって達成される。」（【0005】）
　（イ）「・・・ガラス板受け部材４、４ａ、４ｂ及び４ｃの夫々を、ガラス板２の面に平行な面内・・・に移動させる複数、本例では４機の第一の移動装置５、５ａ、５ｂ及び５ｃと・・・２機の押し割り装置６及び６ａと、押し割り装置６及び６ａの夫々を水平面内で一の方向であるＸ方向とＸ方向に交差する他の方向・・・に移動させる・・・２機の第二の移動装置７及び７ａと、無端ベルト３に載置されたガラス板２に対する押し割り装置６及び６ａによる押し割りにおいて、移動装置５、５ａ、５ｂ及び５ｃ並びに移動装置７及び７ａによるガラス板受け部材４、４ａ、４ｂ及び４ｃ並びに押し割り装置６及び６ａの移動位置を対応させるように移動装置５、５ａ、５ｂ及び５ｃ並びに移動装置７及び７ａの動作を制御する制御装置（図示せず）と、無端ベルト３を走行させる走行装置８と、無端ベルト３上のガラス板２を持上げる持上げ装置９とを具備している。」（【0009】）
　（ウ）「ガラス板受け部材４は、無端ベルト３を介してガラス板２を支持する第一の面１５と面１５に対して段差１６を介して低位に配された第二の面１７とを有している。・・・尚、面１７は、ガラス板受け部材４の上面に特に設ける必要はなく、ガラス板受け部材４の上面を全て面１５として機能させ、ガラス板受け部材４の周囲（空間）を、面１７として機能させてもよい。」（【0011】）
　（エ）「移動装置５はＸ方向移動機構２５とＹ方向移動機構２６とからなり、・・・モータ２９の作動によるその出力回転軸の回転でねじ軸３２が回転されると、Ｘ方向に直線移動され・・・モータ３８の作動によるその出力回転軸の回転でねじ軸４１が回転されると、Ｙ方向に直線移動される。」（【0013】）
　（オ）「移動装置７はＸ方向移動機構６０とＹ方向移動機構６１とからなり・・・モータ６４の作動によるその出力回転軸の回転でねじ軸６６が回転されると、Ｘ方向に直線移動され・・・モータ７２の作動によるその出力回転軸の回転でねじ軸７３が回転されると、Ｙ方向に直線移動される。」（【0015】）
　（カ）「次にエアーシリンダ装置９５を作動させて真空吸盤装置９７を下降させて、真空吸盤装置９７と中央支持台１９との間でガラス板２を挟持、固定する。・・・窓２３ｂ及び２３ｃ領域内での端切り線形成もまた終了すると、次にエアーシリンダ装置４９及び４９ａを作動させてカッタ刃５２及び５２ａを上昇させてカッタ刃５２及び５２ａとガラス板２との当接を解除する一方、今度は段差１６ｂ及び１６ｃが折り割り予定線１００に位置し、面１７ｂ及び１７ｃが折り割り予定線１００の外側に常に位置するようにモータ２９ｂ及び２９ｃ並びに３８ｂ及び３８ｃを作動させてガラス板受け部材４ｂ及び４ｃをＸ及びＹ方向に移動させると共に同じくモータ６４及び６４ａ並びに７２及び７２ａを作動させて押し割り装置６及び６ａをＸ及びＹ方向に移動させて押し棒４８及び４８ａが折り割り予定線１００の外側に常に位置するようにする。折り割り予定線１００に沿うガラス板受け部材４ｂ及び４ｃ並びに押し割り装置６及び６ａのこの移動中、必要箇所でエアシリンダ装置４６及び４６ａを作動させて押し棒４８及び４８ａを下降させてこれをガラス板２の折り割り予定線１００の外側に当接させて、ガラス板２を折り割り予定線１００に沿って押し割る。
　窓２３ｂ及び２３ｃ領域内での折り割り予定線１００に沿った押し割りが終了すると、次に押し棒４８及び４８ａを窓２３及び２３ａ領域内に移動させ、同時にモータ２９び２９ａ並びに３８及び３８ａを作動させてガラス板受け部材４及び４ａをＸ及びＹ方向に移動させて段差１６及び１６ａを折り割り予定線１００に位置させ、面１７及び１７ａを折り割り予定線１００の外側に常に位置させ、上記と同様にして窓２３及び２３ａ領域内での押し割りを行う。
　窓２３及び２３ａ領域内での押し割りもまた終了して、折り割り予定線１００に沿って折り割られたガラス板２が得られると、次にエアーシリンダ装置９５が作動されて真空吸盤装置９７が上昇されて真空吸盤装置９７に吸引されたガラス板２がベルト３から持上げられる。このガラス板２が持上げられた状態で、モータ８６が作動され、これによりベルト３がＡ方向に走行されると、ベルト３上に残っている折り割りカレットがベルト３の走行と共にＡ方向に搬送されて排出される。カレットの排出後、再びエアーシリンダ装置９５が作動されて真空吸盤装置９７が下降されて真空吸盤装置９７に吸引されたガラス板２がベルト３に載置され、その後真空吸引装置９７の作動解除によってガラス板２がベルト３上から取り出され、新たな折り割りすべきガラス板２がベルト３上に載置される。」（【0020】〜【0024】）
　
２−２−３．刊行物１に記載された発明の認定
　刊行物１の摘示事項（ア）の記載から、刊行物１には、
「ガラス板が載置される可撓性の無端ベルトと、この無端ベルトを走行させる走行装置と、複数の窓を有して無端ベルトを支持するベルト支持板と、このベルト支持板の各窓に対応して配されており、夫々が無端ベルトを介してガラス板を支持する第一の面とこの第一の面に対して段差を介して低位に配された第二の面とを有した複数のガラス板受け部材と、ガラス板受け部材の夫々をガラス板の面に平行な面内で移動させる複数の第一の移動装置と、無端ベルトの上方に配されており、押し棒及びカッタ刃を具備した押し割り装置と、この押し割り装置をガラス板の面に平行な面内で移動させる第二の移動装置と、無端ベルト上のガラス板を持上げる持上げ装置と、無端ベルト上のガラス板に対する押し割り装置による押し割りにおいて、第一及び第二の移動装置によるガラス板受け部材及び押し割り装置の移動位置を対応させるように第一及び第二の移動装置、の動作を制御する制御装置とを具備しているガラス板の折り割り機械」の発明（以下、「引用発明」という。）
が記載されているといえる。
　
２−２−４．補正発明と引用発明との対比
　ｉ）引用発明の「ガラス板が載置される可撓性の無端ベルト」について、「無端ベルト」には「ガラス板」が「載置される」ので、「無端ベルト」は「ガラス板」を支持するといえるものだから、引用発明の「ガラス板が載置される可撓性の無端ベルト」は、補正発明の「ガラス板が載置される可撓性のガラス支持体」に相当する。
　ｉｉ）引用発明の「無端ベルトを走行させる走行装置」、「複数の窓を有して無端ベルトを支持するベルト支持板」と補正発明との関連について検討する。
　本願明細書には「ガラス板の折割装置１は、ガラス板２が載置される可撓性のガラス板支持体としての無端ベルト３と・・・無端ベルト３を走行させる走行装置８と・・・を具備している」（【0013】）と記載されているから、「無端ベルト３」は補正発明の「可撓性のガラス支持体」に当たるといえ、補正発明の「可撓性のガラス支持体」は「走行装置」を有することを包含するものということができる。
　また、本願明細書には「ガラス板受け部材４は、無端ベルト３を介してガラス板２を支持する支持面１５・・・を有し・・・支持面１５は・・・フレーム１８に取付けられたベルト支持板２１の上面２２と平行であって同一高さ・・・配されており」（【0015】）と記載されていることから、「ベルト支持板２１」の「上面２２」と、「ガラス板受け部材４」の「無端ベルト３を介してガラス板２を支持する支持面１５」とが「平行であって同一高さ」であり、「無端ベルト３」は上記「支持面１５」と「ベルト支持板２１」の上にあることから、「ベルト支持板２１」の上面も「無端ベルト３を介してガラス板２を支持する」ということができる。
　そして、「ベルト支持板２１には、４個の窓即ち開口２３、２３ａ、２３ｂ及び２３ｃが形成され」（【0016】）とも記載されていることから、「ベルト支持板２１」には「４個の窓即ち開口２３、２３ａ、２３ｂ及び２３ｃが形成され」ていることがわかり、これらのことは本願明細書に添付の【図１】、【図３】からもみてとることができる。
　すなわち、補正発明では「ベルト支持板２１」が「無端ベルト３」を支持するもので、「ベルト支持板２１」は複数の「窓」を有するから、補正発明は、「窓」を有して「無端ベルト」を支持する「ベルト支持板」を有することを含むものということができる。
　したがって、引用発明の「無端ベルトを走行させる走行装置」、「複数の窓を有して無端ベルトを支持するベルト支持板」は、補正発明に包含されるということができる。
　ｉｉｉ）引用発明の「このベルト支持板の各窓に対応して配されており、夫々が無端ベルトを介してガラス板を支持する第一の面とこの第一の面に対して段差を介して低位に配された第二の面とを有した複数のガラス板受け部材」と補正発明の「ガラス支持体を介してガラス板を支持する支持面を有した複数のガラス板受け部材」との関連について検討する。
　本願明細書には、「ガラス板受け部材４は、無端ベルト３を介してガラス板２を支持する支持面１５と支持面１５に対して段差１６を介して低位に配された面１７とを有している。」（【0015】）と記載されているので、補正発明の「ガラス板受け部材」は「ガラス板２を支持する支持面１５と支持面１５に対して段差１６を介して低位に配された面１７」を有してもよいものである。
　よって、補正発明の「ガラス板受け部材」は「ガラス板を支持する第一の面とこの第一の面に対して段差を介して低位に配された第二の面」を有することを包含するものということができる。
　さらに、本願明細書には、「ベルト支持板２１には、４個の窓即ち開口２３、２３ａ、２３ｂ及び２３ｃが形成されており、開口２３、２３ａ、２３ｂ及び２３ｃに対応して配されたガラス板受け部材４、４ａ、４ｂ及び４ｃの夫々は、開口２３、２３ａ、２３ｂ及び２３ｃ内においてＸ及びＹ方向に移動されるようになっている。」（【0016】）とも記載されているので、補正発明の「ガラス板受け部材」は「ベルト支持板」の「各窓に対応して配されて」いることを包含するものということができる。
　したがって、引用発明の「このベルト支持板の各窓に対応して配されており、夫々が無端ベルトを介してガラス板を支持する第一の面とこの第一の面に対して段差を介して低位に配された第二の面とを有した複数のガラス板受け部材」は、補正発明の「ガラス支持体を介してガラス板を支持する支持面を有した複数のガラス板受け部材」に相当するいえる。
　ｉｖ）引用発明の「ガラス板受け部材の夫々をガラス板の面に平行な面内で移動させる複数の第一の移動装置」と補正発明の「複数のガラス板受け部材に対応して複数個設けられていると共に当該複数のガラス板受け部材の夫々をガラス板の面に平行な面内で移動させる複数の第一の移動装置」との関連について検討する。
　刊行物１には、上記摘示事項（イ）に「・・・ガラス板受け部材４、４ａ、４ｂ及び４ｃの夫々を、ガラス板２の面に平行な面内・・・に移動させる複数、本例では４機の第一の移動装置５、５ａ、５ｂ及び５ｃ・・・を具備し」と記載され、４個の「ガラス板受け部材４、４ａ、４ｂ及び４ｃ」の夫々に対応して４個の「第一の移動装置５、５ａ、５ｂ及び５ｃ」が具備されていることから、引用発明の「第一の移動装置」は「複数のガラス板受け部材に対応して複数個設けられている」ということができる。
　よって、引用発明の「ガラス板受け部材の夫々をガラス板の面に平行な面内で移動させる複数の第一の移動装置」は、補正発明の「複数のガラス板受け部材に対応して複数個設けられていると共に当該複数のガラス板受け部材の夫々をガラス板の面に平行な面内で移動させる複数の第一の移動装置」に相当するといえる。
　ｖ）引用発明の「無端ベルトの上方に配されており、押し棒及びカッタ刃を具備した押し割り装置」と補正発明の「ガラス支持体の上方に配された押し割り装置」との関連について検討する。
　上記ｉ）より引用発明の「無端ベルト」は補正発明の「ガラス支持体」に相当する。そして、本願明細書には「押し割り装置６は・・・押し棒４８と・・・カッタ刃５２・・・を具備している。」（【0019】）と記載されることから、補正発明の「押し割り装置」は「押し棒」と「カッタ刃」とを有することを包含するものということができる。
　よって、引用発明の「無端ベルトの上方に配されており、押し棒及びカッタ刃を具備した押し割り装置」は補正発明の「ガラス支持体の上方に配された押し割り装置」に相当するといえる。
　ｖｉ）引用発明の「押し割り装置をガラス板の面に平行な面内で移動させる第二の移動装置」は、補正発明の「押し割り装置をガラス板の面に平行な面内で移動させる第二の移動装置」に相当することは明らかである。
　ｖｉｉ）引用発明の「無端ベルト上のガラス板を持上げる持上げ装置」について検討する。
　本願明細書には「持上げ装置９は・・・ベルト３上に載置されたガラス板２を持上げ・・・」（【0024】）と記載されており、補正発明は「ベルト」上の「ガラス板」を持ち上げる「持上げ装置」を有してもよいものということができる。
　よって、引用発明の「無端ベルト上のガラス板を持上げる持上げ装置」は、補正発明に包含されるということができる。
　ｖｉｉｉ）引用発明の「第一及び第二の移動装置、の動作を制御する制御装置」は、補正発明の「第一及び第二の移動装置の動作を制御する制御装置」に相当することは明らかである。
　ｉｘ）引用発明の「無端ベルト上のガラス板に対する押し割り装置による押し割りにおいて」と補正発明の「ガラス支持体上のガラス板に対する押し割り装置による押し割りにおいて」との関連について検討するに、上記ｉ）から引用発明の「無端ベルト」は補正発明の「ガラス支持体」に当たるから、引用発明の「無端ベルト上のガラス板に対する押し割り装置による押し割りにおいて」は、補正発明の「ガラス支持体上のガラス板に対する押し割り装置による押し割りにおいて」に相当する。
　ｘ）引用発明の「第一及び第二の移動装置によるガラス板受け部材及び押し割り装置の移動位置を対応させるように」第一及び第二の移動装置の動作を制御することは、「第一及び第二の移動装置」を制御することによって「ガラス板受け部材」と「押し割り装置」との「移動位置を対応させるように」移動させることに他ならない。
　一方、補正発明の「ガラス板受け部材の夫々を複数の第一の移動装置の夫々により移動させて、複数のガラス板受け部材の支持面の夫々がガラス板に形成された折割線を跨いで位置するように、当該ガラス板受け部材の夫々の支持面を予め所定位置に配置し、ガラス板が配置されて折割時、第二の移動装置により押し割り装置を、前記所定位置においてガラス板受け部材の支持面の夫々に支持されたガラス板に対する折割位置に移動させるようにした」ことも、「第一及び第二の移動装置の動作を制御する制御装置」によって「ガラス板受け部材及び押し割り装置」をどのように移動させるかを特定しているものであるから、引用発明と補正発明とは「第一及び第二の移動装置の動作を制御する制御装置」によって「ガラス板受け部材」と「押し割り装置」の移動位置を制御して移動させる点で共通する。
　ｘｉ）以上のことから、補正発明と引用発明とは、　
「ガラス板が載置される可撓性のガラス支持体と、ガラス支持体を介してガラス板を支持する支持面を有した複数のガラス板受け部材と、複数のガラス板受け部材に対応して複数個設けられていると共に当該複数のガラス板受け部材の夫々をガラス板の面に平行な面内で移動させる複数の第一の移動装置と、ガラス支持体の上方に配された押し割り装置と、この押し割り装置をガラス板の面に平行な面内で移動させる第二の移動装置と、この第一及び第二の移動装置の動作を制御する制御装置とを具備しており、ガラス支持体上のガラス板に対する押し割り装置による押し割りにおいて、上記制御装置によってガラス板受け部材と押し割り装置の移動位置を制御して移動させるガラス板の折割装置。」である点で一致し、以下の点で相違する。
　
　＜相違点１＞
　補正発明では「ガラス板受け部材の夫々を複数の第一の移動装置の夫々により移動させて」、「当該ガラス板受け部材の夫々の支持面を予め所定位置に配置し、ガラス板が配置されて折割時、第二の移動装置により押し割り装置を、前記所定位置においてガラス板受け部材の支持面の夫々に支持されたガラス板に対する折割位置に移動させる」ものであるのに対して、引用発明では「第一及び第二の移動装置によるガラス板受け部材及び押し割り装置の移動位置を対応させるよう」に「ガラス板受け部材」と「押し割り装置」を移動するものである点                  
　＜相違点２＞
　補正発明では「複数のガラス板受け部材の支持面の夫々がガラス板に形成された折割線を跨いで位置する」ように移動されるものであるのに対して、引用発明ではかかる特定がなされていない点
　
２−２−５．相違点の検討
　＜相違点１＞について
　ａ）刊行物１には上記摘示事項（イ）に「・・・ガラス板受け部材４、４ａ、４ｂ及び４ｃの夫々を、ガラス板２の面に平行な面内・・・に移動させる複数、本例では４機の第一の移動装置５、５ａ、５ｂ及び５ｃと・・・２機の押し割り装置６及び６ａと、押し割り装置６及び６ａの夫々を水平面内で一の方向であるＸ方向とＸ方向に交差する他の方向・・・に移動させる・・・２機の第二の移動装置７及び７ａと・・・を具備している。」と記載されていることから、刊行物１では、「ガラス板受け部材４、４ａ、４ｂ及び４ｃ」と、それらに対応する「第一の移動装置」である４つの「移動装置５、５ａ、５ｂ及び５ｃ」、また、２つの「押し割り装置６及び６ａ」と、それらに対応する「第二の移動装置」である２つの「移動装置７及び７ａ」が用いられることが理解される。
　ｂ）さらに、刊行物１には、上記摘示事項（エ）に「移動装置５はＸ方向移動機構２５とＹ方向移動機構２６とからなり、・・・モータ２９の作動によるその出力回転軸の回転でねじ軸３２が回転されると、Ｘ方向に直線移動され・・・モータ３８の作動によるその出力回転軸の回転でねじ軸４１が回転されると、Ｙ方向に直線移動される。」、同（オ）に「移動装置７はＸ方向移動機構６０とＹ方向移動機構６１とからなり・・・モータ６４の作動によるその出力回転軸の回転でねじ軸６６が回転されると、Ｘ方向に直線移動され・・・モータ７２の作動によるその出力回転軸の回転でねじ軸７３が回転されると、Ｙ方向に直線移動される。」と記載されており、さらに「対応するものには同じ数字符号にａ、ｂ及びｃを付して図示のみする。」（【0010】）と記載されていることから、
　「モータ２９ｂ及び２９ｃ並びに３８ｂ及び３８ｃ」の作動による移動は、「第一の移動装置」である「移動装置５ｂ、５ｃ」による移動であり、
　「モータ２９及び２９ａ並びに３８及び３８ａ」の作動による移動は、「第一の移動装置」である「移動装置５、５ａ」による移動であり、
　「モータ６４及び６４ａ並びに７２及び７２ａ」の作動による移動は、「第二の移動装置」である「移動装置７、７ａ」による移動であるといえる。
　ｃ）そして、刊行物１の上記摘示事項（カ）には、「窓２３ｂ及び２３ｃ領域内で・・・段差１６ｂ及び１６ｃが折り割り予定線１００に位置し、面１７ｂ及び１７ｃが折り割り予定線１００の外側に常に位置するようにモータ２９ｂ及び２９ｃ並びに３８ｂ及び３８ｃを作動させてガラス板受け部材４ｂ及び４ｃをＸ及びＹ方向に移動させると共に同じくモータ６４及び６４ａ並びに７２及び７２ａを作動させて押し割り装置６及び６ａをＸ及びＹ方向に移動させて押し棒４８及び４８ａが折り割り予定線１００の外側に常に位置するようにする。折り割り予定線１００に沿うガラス板受け部材４ｂ及び４ｃ並びに押し割り装置６及び６ａのこの移動中、必要箇所で・・・押し棒４８及び４８ａを下降させてこれをガラス板２の折り割り予定線１００の外側に当接させて、ガラス板２を折り割り予定線１００に沿って押し割る。
　窓２３ｂ及び２３ｃ領域内での折り割り予定線１００に沿った押し割りが終了すると、次に押し棒４８及び４８ａを窓２３及び２３ａ領域内に移動させ、同時にモータ２９び２９ａ並びに３８及び３８ａを作動させてガラス板受け部材４及び４ａをＸ及びＹ方向に移動させて段差１６及び１６ａを折り割り予定線１００に位置させ、面１７及び１７ａを折り割り予定線１００の外側に常に位置させ、上記と同様にして窓２３及び２３ａ領域内での押し割りを行う。」と記載されている。
　ｄ）これは、上記ａ）ｂ）を踏まえると、
　まず、「窓２３ｂ及び２３ｃ領域内」で、「ガラス板受け部材４ｂ及び４ｃ」が、「第一の移動装置」である「移動装置５ｂ、５ｃ」によって「ガラス板２」が押し割りされる「必要箇所」へ移動されると共に、「押し割り装置６及び６ａ」が「第二の移動装置」である「移動装置７、７ａ」によって「ガラス板２」が押し割りされる「必要箇所」へ移動されて「ガラス板２」が押し割りされ、
  次に、「窓２３及び２３ａ領域内」で、「ガラス板受け部材４及び４ａ」が、「第一の移動装置」である「移動装置５、５ａ」によって「ガラス板２」が押し割りされる「必要箇所」へ移動されると共に、「押し割り装置６及び６ａ」が「第二の移動装置」である「移動装置７、７ａ」によって「ガラス板２」が押し割りされる「必要箇所」へ移動されて「ガラス板２」が押し割りされるものといえる。
　ｅ）ここで補正発明の「ガラス板受け部材」の「所定位置」、「折割位置」についてみてみると、本願明細書には「ガラス板の折割装置１では、ガラス板受け部材４、４ａ、４ｂ及び４ｃの夫々の支持面１５、１５ａ、１５ｂ及び１５ｃを所定位置に配置後、移動装置７及び７ａにより押し割り装置６及び６ａを折割位置に移動させるために、押し割り装置６及び６ａの押し割りにおいては、無端ベルト３を介して受け部材４、４ａ、４ｂ及び４ｃの夫々の支持面１５、１５ａ、１５ｂ及び１５ｃによりガラス板２を複数の部位で下から支持できる結果、ガラス板２を折割線１００に沿って所望に折割得る。」（【0033】）とあり、また補正発明の記載をみれば「ガラス板受け部材の夫々を複数の第一の移動装置の夫々により移動させて、複数のガラス板受け部材の支持面の夫々がガラス板に形成された折割線を跨いで位置するように、当該ガラス板受け部材の夫々の支持面を予め所定位置に配置」し、「ガラス板が配置されて折割時、第二の移動装置により押し割り装置を、前記所定位置においてガラス板受け部材の支持面の夫々に支持されたガラス板に対する折割位置に移動させる」ものであるから、補正発明では、複数の「ガラス板受け部材」が「第一の移動装置」で移動されて夫々の「所定位置」へ配置され、「押し割り装置」が「第二の移動装置」で移動されて「折割位置」へ配置され、「ガラス板２」が押し割りされるものといえ、「所定位置」では「ガラス板受け部材」の夫々の支持面で「ガラス板」が支持されるものであり、「折割位置」は、複数の「ガラス板受け部材」夫々の「所定位置」のいずれかということができる。
　ｆ）一方で、上記ｄ）で検討したように、刊行物１では、「ガラス板受け部材」が「第一の移動装置」で移動されて「必要箇所」へ配置され、「押し割り装置」が「第二の移動装置」で移動されて「必要箇所」へ配置され、「ガラス板２」が押し割りされるものといえ、さらに刊行物１には摘示事項（ウ）に「ガラス板受け部材４は、無端ベルト３を介してガラス板２を支持する第一の面１５と面１５に対して段差１６を介して低位に配された第二の面１７とを有している。」とあるので、「必要箇所」では「ガラス板受け部材」の「ガラス板２を支持する第一の面１５」すなわち「支持面」で「ガラス板」が支持されるから、引用発明の「必要箇所」は、補正発明の「所定位置」に相当し、また、補正発明の「折割位置」にも相当し得るものといえる。
  ｇ）よって、刊行物１には、補正発明の「ガラス板受け部材の夫々を複数の第一の移動装置の夫々により移動」させて、「当該ガラス板受け部材の夫々の支持面」を「所定位置に配置」し、「第二の移動装置により押し割り装置を、前記所定位置においてガラス板受け部材の支持面の夫々に支持されたガラス板に対する折割位置に移動させる」ことは記載されているが、
　ガラス受け部材の夫々の支持面を「予め」所定位置に配置し、「ガラス板が配置されて折割時に」第二の移動装置により押し割り装置を「折割位置」に移動させる点（以下、「相違点１Ａ」という。）は刊行物１に明示されていないということができる。
　ｈ）そこで上記相違点１Ａについて以下でさらに検討する。
　まず、補正発明について「ガラス板受け部材」の「所定位置」への配置から「ガラス板２」が折り割られて「折割カレット」が排出されて新たな折割すべき「ガラス板２」が「ベルト３」上に載置されるまでの補正発明の「折割装置」の各動作を詳細にみると、本願明細書では「次にエアーシリンダ装置９５を作動させて真空吸盤装置９７を下降させて、真空吸盤装置９７と中央支持台１９との間でガラス板２を挟持、固定する。・・・窓２３及び２３ａ領域内での押し割りもまた終了して、折割線１００に沿って折り割られたガラス板２が得られると、次にエアーシリンダ装置９５が作動されて真空吸盤装置９７が上昇されて真空吸盤装置９７に吸引されたガラス板２がベルト３から持上げられる。ガラス板２が持上げられた状態で、モータ８６が作動され、これによりベルト３がＡ方向に走行されると、ベルト３上に残っている折割カレットがベルト３の走行と共にＡ方向に搬送されて排出される。カレットの排出後、再びエアーシリンダ装置９５が作動されて真空吸盤装置９７が下降されて真空吸盤装置９７に吸引されたガラス板２がベルト３に載置され、その後真空吸引装置９７の作動解除によってガラス板２がベルト３上から取り出され、新たな折割すべきガラス板２がベルト３上に載置される。」（【0026】〜【0032】）と記載されており、上記各動作において、はじめに「真空吸盤装置９７と中央支持台１９との間でガラス板２を挟持、固定」してから、折割の終了した「ガラス板２」が「真空吸引装置９７の作動解除によってガラス板２がベルト３上から取り出され」るまでの間に、「真空吸盤装置９７」と「中央支持台１９」との間での「ガラス板２」の挟持、固定を解除することは記載がないことから、「ガラス板２に対して折割作業」の行われている間は、「ガラス板２」は「真空吸盤装置９７」と「中央支持台１９」の間で挟持固定された状態であるといえる。
　そして、補正発明では、当該状態で、「ガラス受け部材４，４ａ，４ｂ，４ｃ」の夫々の「支持面１５，１５ａ，１５ｂ，１５ｃ」をすべて「予め」所定位置に配置して、「ガラス板が配置されて折割時に」第二の移動装置により「押し割り装置６，６ａ」を「折割位置」へ移動させて折り割りしていくものであり、折り割り時には、「真空吸盤装置９７」と「中央支持台１９」との間の「ガラス板」の略中央と、４つの「ガラス受け部材」で「ガラス板」の周辺を支持し、周辺で垂れ下がるようなことなく「ガラス板」の水平を維持できているために、所望の折り割り線で折り割ることができるものといえる。
　ｉ）一方、刊行物１における「ガラス板受け部材」の「必要箇所」への配置から「ガラス板２」が折り割られて「折り割りカレット」が排出されて新たな折り割りすべき「ガラス板２」が「ベルト３」上に載置されるまでの「折り割り機械」の各動作を詳細にみると、上記摘示事項（カ）に「次にエアーシリンダ装置９５を作動させて真空吸盤装置９７を下降させて、真空吸盤装置９７と中央支持台１９との間でガラス板２を挟持、固定する。」と記載され、さらに「窓２３及び２３ａ領域内での押し割りもまた終了して、折り割り予定線１００に沿って折り割られたガラス板２が得られると、次にエアーシリンダ装置９５が作動されて真空吸盤装置９７が上昇されて真空吸盤装置９７に吸引されたガラス板２がベルト３から持上げられる。このガラス板２が持上げられた状態で、モータ８６が作動され、これによりベルト３がＡ方向に走行されると、ベルト３上に残っている折り割りカレットがベルト３の走行と共にＡ方向に搬送されて排出される。カレットの排出後、再びエアーシリンダ装置９５が作動されて真空吸盤装置９７が下降されて真空吸盤装置９７に吸引されたガラス板２がベルト３に載置され、その後真空吸引装置９７の作動解除によってガラス板２がベルト３上から取り出され、新たな折り割りすべきガラス板２がベルト３上に載置される。」と記載されており、上記各動作において、はじめに「真空吸盤装置９７と中央支持台１９との間でガラス板２を挟持、固定」してから、折り割りの終了した「ガラス板２」が「真空吸引装置９７の作動解除によってガラス板２がベルト３上から取り出され」るまでの間に、「真空吸盤装置９７」と「中央支持台１９」との間での「ガラス板２」の挟持、固定を解除することは記載がないことから、「ガラス板２」に対する折割作業の行われている間は、「ガラス板２」は「真空吸盤装置９７」と「中央支持台１９」の間で挟持固定された状態であるといえる。
　ｊ）ここで、所望の折り割り線のとおりに正確に折り割るためには、「ガラス板２」が「ベルト３」上で水平を維持されているべきことは技術常識といえる。
　そして、「ガラス板２」は上記のように「真空吸盤装置９７」と「中央支持台１９」との間の「ガラス板２」の略中央部分で固定されているから、「ガラス板２」の周囲が撓まずに水平であるためには、当該周囲で「ガラス板受け部材４，４ａ，４ｂ，４ｃ」が「ガラス板２」を支持していなければならないことは明らかといえる。
　そうすると、上記ｄ）で述べたように、刊行物１では、
　まず、「窓２３ｂ及び２３ｃ領域内」で、「ガラス板受け部材４ｂ及び４ｃ」が、「第一の移動装置」によって「ガラス板２」が押し割りされる「必要箇所」へ移動されると共に、「押し割り装置６及び６ａ」が「第二の移動装置」によって「ガラス板２」が押し割りされる「必要箇所」へ移動されて「ガラス板２」が押し割りされるが、このとき「ガラス板受け部材４及び４ａ」も「ガラス板２」の周囲が撓まずに水平であるように「ガラス板受け部材４ｂ及び４ｃ」とは別の箇所で「ガラス板」を当然に支持しているはずであり、次に、「窓２３及び２３ａ領域内」で、「ガラス板受け部材４及び４ａ」が、「第一の移動装置」によって「ガラス板２」が押し割りされる「必要箇所」へ移動されると共に、「押し割り装置６及び６ａ」が「第二の移動装置」によって「ガラス板２」が押し割りされる「必要箇所」へ移動されて「ガラス板２」が押し割りされるが、このとき「ガラス板受け部材４ｂび４ｃ」も「ガラス板２」の周囲が撓まずに水平であるように「ガラス板受け部材４及び４ａ」とは別の箇所で「ガラス板」を当然に支持しているはずであるということができる。
　ｋ）そうであれば、「ガラス板受け部材」を移動して位置合わせする際に、「ガラス板受け部材４ｂ，４ｃ」「ガラス板受け部材４，４ａ」と二つづつ行うか、「ガラス板受け部材４，４ａ，４ｂ，４ｃ」の４つを同時に移動して位置合わせするかは必要に応じて選択できる程度のことであり、後者の場合には、「押し割り装置６及び６ａ」の「第二の移動装置」による移動と割折りの操作は、「ガラス板受け部材４，４ａ，４ｂ，４ｃ」の「第一の移動装置」による移動の後になるといえる。
　したがって、引用発明において、「ガラス板受け部材４，４ａ，４ｂ，４ｃ」の４つを同時に「必要箇所」に移動して位置合わせするようにして、その後に実際に折り割りする「必要箇所」へ「押し割り装置」を移動させるようにして相違点１に係る補正発明の特定事項を想到することは当業者の容易に推考し得るところということができる。
　
　＜相違点２＞について
　引用発明において、「ガラス板」が押し割りされる「必要箇所」での「ガラス板受け部材」と「押し割り装置」の詳細な位置関係について検討する。
　刊行物１の上記摘示事項（ウ）には「ガラス板受け部材４は、無端ベルト３を介してガラス板２を支持する第一の面１５と面１５に対して段差１６を介して低位に配された第二の面１７とを有している」とあることから、「ガラス板受け部材４」は「無端ベルト３を介してガラス板を支持する第一の面１５」と「第一の面に対して段差１６を介して低位に配された第二の面１７」を有しているものである。
　そして、刊行物１の上記摘示事項（カ）の記載から、「ガラス板受け部材４ｂ及び４ｃ」は、「ガラス板」が押し割りされる「必要箇所」で、「段差１６ｂ及び１６ｃが折り割り予定線１００に位置し、面１７ｂ及び１７ｃが折り割り予定線１００の外側に常に位置するように」移動されており、「押し割り装置６及び６ａ」は、その構成部分である「押し棒４８及び４８ａ」が「ガラス板２の折り割り予定線１００の外側に当接させて」折り割りされるものである。
　一方で同（ウ）には「尚、面１７は、ガラス板受け部材４の上面に特に設ける必要はなく、ガラス板受け部材４の上面を全て面１５として機能させ、ガラス板受け部材４の周囲（空間）を、面１７として機能させてもよい。」と記載されていることから、これを、上記「ガラス板受け部材４ｂ及び４ｃ」を「段差１６ｂ及び１６ｃが折り割り予定線１００に位置し、面１７ｂ及び１７ｃが折り割り予定線１００の外側に常に位置するように」移動させることに適用すると、「ガラス板受け部材４の周囲（空間）」が「面１７」となり、「段差１６ｂ及び１６ｃ」はなくなるので、「ガラス板受け部材４ｂ及び４ｃ」は、空間である「１７」が「折り割り予定線１００の外側に常に位置する」すなわち「折り割り予定線１００」が「ガラス板受け部材４」の「第一の面１５」上にあるように移動されることになるといえる。　
　すなわち、引用発明では「折り割り予定線１００」が「ガラス板受け部材４」の「第一の面１５」上にある態様を含むものであり、その場合には「ガラス板受け部材」の「支持面」が「ガラス板に形成された折割線を跨いで位置する」という態様になるといえる。
　また、このことは刊行物１の【図３】で、「ガラス板受け部材４，４ａ，４ｂ，４ｃ」の「支持面１５，１５ａ，１５ｂ，１５ｃ」が「折り割り予定線１００」と近傍にあって交差していることが見てとれ、これは「ガラス板受け部材」の「支持面」が「ガラス板に形成された折割線を跨いで位置する」と言い得る態様であることからも裏付けられるものである。
　したがって、引用発明において、「ガラス板受け部材４，４ａ，４ｂ，４ｃ」の「支持面１５，１５ａ，１５ｂ，１５ｃ」が「折り割り予定線１００」上にあり得るものであるから、相違点２は実質的な相違点ではない。
　
　以上から、補正発明は、引用発明に基づいて当業者が容易に発明をすることができたものであって、特許法第２９条第２項の規定により特許を受けることができないものであるから、特許出願の際独立して特許を受けることができないものである。
　
　よって、本件補正は特許請求の範囲の減縮を目的とするものであるが、上記の理由により、いわゆる独立特許要件を満足しないため、その余の事項について検討するまでもなく、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
３．本件発明について
３−１．本件発明
　平成２０年１２月２２日付けの明細書の記載に係る手続補正書は前記「２．」のとおり却下されたので、本件出願の請求項１、２に係る発明は、平成２０年９月５日付けの明細書の記載に係る手続補正書によって補正された特許請求の範囲の請求項１、２に記載される事項によって特定されるとおりのものであるところ、その請求項１に係る発明（以下、「本件発明」という。）は以下のとおりのものである。
 「ガラス板が載置される可撓性のガラス支持体と、ガラス支持体を介してガラス板を支持する支持面を有した複数のガラス板受け部材と、複数のガラス板受け部材に対応して複数個設けられていると共に当該複数のガラス板受け部材の夫々をガラス板の面に平行な面内で移動させる複数の第一の移動装置と、ガラス支持体の上方に配された押し割り装置と、この押し割り装置をガラス板の面に平行な面内で移動させる第二の移動装置と、この第一及び第二の移動装置の動作を制御する制御装置とを具備しており、ガラス支持体上のガラス板に対する押し割り装置による押し割りにおいて、ガラス板受け部材の夫々を複数の第一の移動装置の夫々により移動させて複数のガラス板受け部材の支持面の夫々がガラス板に形成された折割線に対応して位置するように当該ガラス板受け部材の夫々の支持面を予め所定位置に配置し、ガラス板が配置されて折割時、第二の移動装置により押し割り装置を折割位置に移動させるようにしたガラス板の折割装置。」
　
３−２．刊行物の記載と引用発明    
　刊行物１の記載は、上記「２−２−２．刊行物の記載」に記載のとおりである。
　引用発明は「２−２−３．刊行物１に記載された発明の認定」に記載のとおりである。
　
３−３．本件発明と引用発明との対比
　上記「２−１．本件補正について」で検討したように、
　ｉ）本件発明の特定事項である「ガラス板受け部材の支持面の夫々がガラス板に形成された折割線に対応して位置する」は、補正発明の特定事項である「ガラス板受け部材の支持面の夫々がガラス板に形成された折割線を跨いで位置する」を、より上位の概念となるように抽象的に表現したといえるものであり、
　ｉｉ）本件発明の特定事項である「押し割り装置を折割位置に移動させる」は、補正発明の特定事項である「押し割り装置を、前記所定位置においてガラス板受け部材の支持面の夫々に支持されたガラス板に対する折割位置に移動させる」において、「折割位置」について「前記所定位置においてガラス板受け部材の支持面の夫々に支持されたガラス板に対する」と特定するを点を削除したものといえるものであるから、本件発明は補正発明を拡張した発明と言える。
　すると、本件発明の特定事項を全て含み、上記ｉ）ｉｉ）の特定事項によりさらに限定的に特定された補正発明が上記「２．」に記載したとおり、引用発明に基づいて当業者が容易に発明をすることができたものであるから、本件発明も、補正発明と同様の理由により当業者が容易に発明をすることができたものである。
　
３−４．むすび
　以上のとおり、本件発明は引用発明に基づいて当業者が容易に発明をすることができたものであるから、特許法第２９条第２項の規定により特許を受けることができない。
　したがって、その余の請求項に係る発明について言及するまでもなく、本願は拒絶すべきものである。
　よって、結論のとおり審決する。